(57)【要約】【課題】切替後のウィンドウを適切な大きさで表示することを目的とする。【解決手段】携帯電話機１０は、ウィンドウ表示領域１１ａ及びアイコン表示領域１１ｂを有するタッチパネル１１と、アイコンを指定するために行われたアイコン表示領域１１ｂに対する物理的な接触の始点と、該接触がウィンドウ表示領域１１ａ内に移動した際の該接触の終点とを検出する検出部１２と、アイコン表示領域１１ｂ側に位置するウィンドウ表示領域１１ａの境界から終点までの距離を算出し、当該距離に基づいて、指定されたアイコンに対応するアプリケーション・プログラムのウィンドウのサイズを決定するサイズ決定部１４ｂと、その決定に基づいて、指定されたアイコンに対応するアプリケーション・プログラムのウィンドウを新規ウィンドウとしてウィンドウ表示領域１１ａに表示する表示制御部１４ｃと、を備える。【選択図】図１
2011186741.tif 000002
【特許請求の範囲】
【請求項１】
アプリケーション・プログラムのウィンドウを表示するウィンドウ表示領域と、該ウィンドウ表示領域にウィンドウが表示されていないアプリケーション・プログラムのアイコンを表示するアイコン表示領域とを有するタッチパネルと、
前記アイコンを指定するために行われた前記アイコン表示領域に対する物理的な接触の始点と、該接触が前記ウィンドウ表示領域内に移動した際の該接触の終点とを検出する検出手段と、
前記アイコン表示領域側に位置する前記ウィンドウ表示領域の境界から前記終点までの距離を算出し、当該距離に基づいて、前記接触により指定されたアイコンに対応するアプリケーション・プログラムのウィンドウのサイズを決定する決定手段と、
前記決定手段により決定されたサイズで、前記指定されたアイコンに対応するアプリケーション・プログラムのウィンドウを新規ウィンドウとして前記ウィンドウ表示領域に表示する表示制御手段と、
を備える表示装置。
【請求項２】
前記決定手段が、前記新規ウィンドウの高さ又は幅が前記距離と同じになるように該新規ウィンドウのサイズを決定する、
請求項１に記載の表示装置。
【請求項３】
前記決定手段が、前記距離が、既に表示されている少なくとも一つのウィンドウと前記新規ウィンドウとを前記ウィンドウ表示領域内に均等に表示した際の各ウィンドウの高さ又は幅以下であれば、前記新規ウィンドウの高さ又は幅が該均等に表示した際の各ウィンドウの高さ又は幅と同じになるように該新規ウィンドウのサイズを決定する、
請求項１に記載の表示装置。
【請求項４】
前記決定手段が、前記距離が前記均等に表示した際の各ウィンドウの高さ又は幅よりも大きければ、前記新規ウィンドウの高さ又は幅が該距離と同じになるように該新規ウィンドウのサイズを決定する、
請求項３に記載の表示装置。
【請求項５】
アプリケーション・プログラムのウィンドウを表示するウィンドウ表示領域と、該ウィンドウ表示領域にウィンドウが表示されていないアプリケーション・プログラムのアイコンを表示するアイコン表示領域とを有するタッチパネルを備える表示装置、により実行される画面表示方法であって、
前記アイコンを指定するために行われた前記アイコン表示領域に対する物理的な接触の始点と、該接触が前記ウィンドウ表示領域内に移動した際の該接触の終点とを検出する検出ステップと、
前記アイコン表示領域側に位置する前記ウィンドウ表示領域の境界から前記終点までの距離を算出し、当該距離に基づいて、前記接触により指定されたアイコンに対応するアプリケーション・プログラムのウィンドウのサイズを決定する決定ステップと、
前記決定ステップにおいて決定されたサイズで、前記指定されたアイコンに対応するアプリケーション・プログラムのウィンドウを新規ウィンドウとして前記ウィンドウ表示領域に表示する表示制御ステップと、
を含むことを特徴とする画面表示方法。
【発明の詳細な説明】
【技術分野】
【０００１】
本発明は表示装置及び画面表示方法に関する。
【背景技術】
【０００２】
従来から様々な表示装置が知られている。例えば下記特許文献１には、表示エリアを有効に活用してウィンドウを表示する表示装置が記載されている。この装置は、表示されている複数のウィンドウのうちのいずれかを閉じるときに残りのウィンドウのサイズを変更することで、表示エリア全体が当該残りのウィンドウによって占められるようにしている。
【先行技術文献】
【特許文献】
【０００３】
【特許文献１】特開２００７−１７９３８０号公報
【発明の概要】
【発明が解決しようとする課題】
【０００４】
上記特許文献１に記載されている装置のように複数のウィンドウを同時に表示した場合には、アクティブにするウィンドウ（利用するウィンドウ）を切り替える操作が必要となる。しかし、切替直後のウィンドウの大きさが所望のものでない（例えば小さすぎるなど）とユーザはウィンドウサイズを設定しなおす必要があり、その点で表示装置の利便性が十分とはいえない場合がある。
【０００５】
そこで本発明は、切替後のウィンドウを適切な大きさで表示することが可能な表示装置及び画面表示方法を提供することを目的とする。
【課題を解決するための手段】
【０００６】
本発明の表示装置は、アプリケーション・プログラムのウィンドウを表示するウィンドウ表示領域と、該ウィンドウ表示領域にウィンドウが表示されていないアプリケーション・プログラムのアイコンを表示するアイコン表示領域とを有するタッチパネルと、アイコンを指定するために行われたアイコン表示領域に対する物理的な接触の始点と、該接触がウィンドウ表示領域内に移動した際の該接触の終点とを検出する検出手段と、アイコン表示領域側に位置するウィンドウ表示領域の境界から終点までの距離を算出し、当該距離に基づいて、接触により指定されたアイコンに対応するアプリケーション・プログラムのウィンドウのサイズを決定する決定手段と、決定手段により決定されたサイズで、指定されたアイコンに対応するアプリケーション・プログラムのウィンドウを新規ウィンドウとしてウィンドウ表示領域に表示する表示制御手段と、を備える。
【０００７】
本発明の画面表示方法は、アプリケーション・プログラムのウィンドウを表示するウィンドウ表示領域と、該ウィンドウ表示領域にウィンドウが表示されていないアプリケーション・プログラムのアイコンを表示するアイコン表示領域とを有するタッチパネルを備える表示装置、により実行される画面表示方法であって、アイコンを指定するために行われたアイコン表示領域に対する物理的な接触の始点と、該接触がウィンドウ表示領域内に移動した際の該接触の終点とを検出する検出ステップと、アイコン表示領域側に位置するウィンドウ表示領域の境界から終点までの距離を算出し、当該距離に基づいて、接触により指定されたアイコンに対応するアプリケーション・プログラムのウィンドウのサイズを決定する決定ステップと、決定ステップにおいて決定されたサイズで、指定されたアイコンに対応するアプリケーション・プログラムのウィンドウを新規ウィンドウとしてウィンドウ表示領域に表示する表示制御ステップと、を含むことを特徴とする。
【０００８】
このような発明によれば、アイコン表示領域に表示されているアイコンにユーザが指やポインティング・デバイスなどで触れて、そのままウィンドウ表示領域にドラッグする操作を行うと、その際の各表示領域に対する接触が検出され、その検出結果に基づいて当該アイコンに対応するアプリケーション・プログラムのウィンドウが表示される。この際には、タッチパネルに対する接触の距離、すなわちドラッグ操作の距離に基づいてウィンドウのサイズが決定されるので、切替後の新規ウィンドウを適切な大きさで表示することができる。
【０００９】
本発明の表示装置では、決定手段が、新規ウィンドウの高さ又は幅が距離と同じになるように該新規ウィンドウのサイズを決定してもよい。
【００１０】
この場合には、ドラッグ操作の終点に新規ウィンドウの縁が位置するように当該ウィンドウが表示されるので、ユーザは新たなウィンドウを表示するための操作時にそのウィンドウの大きさも合わせて決めることができる。これは、表示装置の操作性が高まることを意味する。
【００１１】
本発明の表示装置では、決定手段が、距離が、既に表示されている少なくとも一つのウィンドウと新規ウィンドウとをウィンドウ表示領域内に均等に表示した際の各ウィンドウの高さ又は幅以下であれば、新規ウィンドウの高さ又は幅が該均等に表示した際の各ウィンドウの高さ又は幅と同じになるように該新規ウィンドウのサイズを決定してもよい。
【００１２】
この場合には、上記境界からドラッグ操作の終点までの距離が均等表示時のウィンドウの高さ又は幅以下であれば、ある程度の高さ又は幅を確保するように新規ウィンドウが表示されるので、新規ウィンドウ内の情報を最初からある程度多く表示することができる。
【００１３】
本発明の表示装置では、決定手段が、距離が均等に表示した際の各ウィンドウの高さ又は幅よりも大きければ、新規ウィンドウの高さ又は幅が該距離と同じになるように該新規ウィンドウのサイズを決定してもよい。
【００１４】
この場合には、上記境界からドラッグ操作の終点までの距離が一定以上であれば、ドラッグ操作の終点に新規ウィンドウの縁が位置するように当該ウィンドウが表示される。したがって、ユーザは新たなウィンドウを表示するための操作時にそのウィンドウの大きさも合わせて決めることができる。
【発明の効果】
【００１５】
このような表示装置及び画面表示方法によれば、アプリケーション・プログラムのアイコンに対するドラッグ操作が行われると、タッチパネルに対する接触の距離に基づいて決定されたサイズで当該プログラムのウィンドウが表示されるので、切替後のウィンドウを適切な大きさで表示することができる。
【図面の簡単な説明】
【００１６】
【図１】実施形態に係る携帯電話機の機能構成を示すブロック図である。
【図２】図１に示す携帯電話機のハードウェア構成を示す図である。
【図３】タッチパネルの構成及び表示態様の例を示す図である。
【図４】新規ウィンドウの高さを決める処理を説明するための図である。
【図５】新規ウィンドウの高さを決める処理を説明するための図である。
【図６】（ａ），（ｂ）共に、新規ウィンドウの高さを決める処理を説明するための図である。
【図７】（ａ），（ｂ）共に、新規ウィンドウの高さを決める処理を説明するための図である。
【図８】図１に示す携帯電話機の動作を示すフローチャートである。
【発明を実施するための形態】
【００１７】
以下、添付図面を参照しながら本発明の実施形態を詳細に説明する。本実施形態では、本発明に係る表示装置を携帯電話機に適用する。なお、図面の説明において同一又は同等の要素には同一の符号を付し、重複する説明を省略する。
【００１８】
まず、図１〜７を用いて、実施形態に係る携帯電話機１０の機能及び構成を説明する。携帯電話機１０は、通話機能やメール機能、ウェブブラウザ機能などを備える通信端末である。図１に示すように、携帯電話機１０は機能的構成要素としてタッチパネル１１、検出部１２、操作判定部１３、及びウィンドウ表示部１４を備えている。
【００１９】
この携帯電話機１０は、図２に示すように、オペレーティングシステムやアプリケーション・プログラムなどを実行するＣＰＵ１０１と、ＲＯＭ及びＲＡＭで構成される主記憶部１０２と、メモリなどで構成される補助記憶部１０３と、データ通信を行う通信制御部１０４と、タッチパネル式のモニタなどで構成される表示部１０５と、入力キーなどで構成される操作部１０６とで構成される。図１に示す各機能は、ＣＰＵ１０１及び主記憶部１０２の上に所定のプログラムを読み込ませ、ＣＰＵ１０１の制御の下で通信制御部１０４、表示部１０５及び操作部１０６を動作させるとともに、主記憶部１０２や補助記憶部１０３に対してデータの読み出し又は書き込みを行うことで実現される。データベースや処理に必要なデータは主記憶部１０２または補助記憶部１０３内に格納されている。
【００２０】
図１に戻って、タッチパネル１１は、データの表示と、ユーザの指やタッチペンなどの接触による入力の受付とを実行する手段である。タッチパネル１１は、ユーザの指示などに基づいて読み出されたデータを表示する。図３に示すように、タッチパネル１１は、アプリケーション・プログラムのウィンドウを表示するウィンドウ表示領域１１ａと、当該ウィンドウ表示領域１１ａにウィンドウが表示されていないアプリケーション・プログラムのアイコンを表示するアイコン表示領域１１ｂとを有する。図３において、符号Ｗ１，Ｗ２はウィンドウを示し、符号Ｃ１〜Ｃ４はアイコンを示している。なお、アイコンのデザインは限定されず、例えば画像のみで構成されるアイコン、画像及び文字で構成されるアイコン、文字のみで構成されるアイコンなどの、任意のアイコンを用いてよい。
【００２１】
なお、タッチパネル１１におけるこれら二種類の表示領域の配置方法は図３の例に限定されない。例えば、タッチパネル１１の上部にアイコン表示領域１１ｂを配し、その下方にウィンドウ表示領域１１ａを配してもよいし、これら二種類の表示領域をタッチパネル１１の横方向に並べてもよい。表示するアイコンは、起動中で且つウィンドウが最小化されているプログラムのアイコンでもよいし、未起動のプログラムのアイコンでもよい。
【００２２】
検出部１２は、タッチパネル１１に対する物理的な接触の始点及び終点を検出する手段である。接触位置を検知する方式は限定されないが、例えば抵抗皮膜方式、表面弾性波方式、静電容量方式などの周知技術を用いることが考えられる。ユーザの指やタッチペンなどがタッチパネル１１に触れている間、検出部１２は接触位置を示す接触位置データを生成して操作判定部１３に逐次出力する。なお、接触位置データは押圧された点又は面を示すデータである。
【００２３】
操作判定部１３は、アイコン表示領域１１ｂに表示されているアイコンが指定されたか否かや、アイコン指定後のドラッグ操作がウィンドウ表示領域１１ａまで及んだか否かを、接触位置データに基づいて判定する手段である。操作判定部１３は、この処理を実行するために、ウィンドウ表示領域１１ａ及びアイコン表示領域１１ｂの位置や範囲を示す表示領域データと、アイコン表示領域１１ｂに表示されている各アイコンの描画位置を示すアイコン位置データとを予め保持している。
【００２４】
検出部１２から最初の接触位置データが入力されると、操作判定部１３はその接触位置データを始点データとして保持し、当該始点データを表示領域データ及びアイコン位置データと比較して、ユーザがアイコン表示領域１１ｂ内のアイコンに触れたか否かを判定する。言い換えれば、接触の始点がアイコン表示領域１１ｂ内の特定のアイコンの描画位置と対応していれば、操作判定部１３はユーザがアイコン表示領域１１ｂ内のアイコンに触れたと判定する。
【００２５】
ユーザがアイコン表示領域１１ｂ内のアイコンに触れた場合には、操作判定部１３は更なる接触位置データの入力を監視する。そして最後の接触位置データが入力されると、操作判定部１３はその接触位置データを終点データとして保持する。この終点データは、タッチパネル１１から指あるいはタッチペンが離れた位置を示すデータである。続いて、操作判定部１３は終点データと表示領域データとを比較して、ウィンドウ表示領域１１ａ内で連続的な接触が途切れたか否かを判定する。このとき、接触の終点がウィンドウ表示領域１１ａ内に位置していれば、操作判定部１３は保持している始点データ及び終点データをウィンドウ表示部１４に出力する。
【００２６】
以上に対して、接触の始点がアイコン表示領域１１ｂの外に位置しているか、又はアイコンの描画位置に含まれていなかった場合には、操作判定部１３はその時点で処理を終了する。また、接触の終点がウィンドウ表示領域１１ａの外に位置していた場合にも、操作判定部１３はその時点で処理を終了する。これらの場合には、始点データ及び終点データはウィンドウ表示部１４に出力されない。
【００２７】
ウィンドウ表示部１４は、操作判定部１３から二種類のデータが入力された場合に、ユーザが指定したアイコンに対応するアプリケーション・プログラムのウィンドウを表示する手段である。ウィンドウ表示部１４は状態取得部１４ａ、サイズ決定部１４ｂ、及び表示制御部１４ｃを備えている。
【００２８】
状態取得部１４ａは、ウィンドウ表示領域１１ａに現在表示されているウィンドウの個数を取得する手段である。図３の例では、状態取得部１４ａは「２」という値を取得することになるが、状態取得部１４ａは０以上の値を取得し得る。ウィンドウ数の取得方法としては、例えば所定のＡＰＩ（Application Program Interface）を用いて携帯電話機１０のオペレーティング・システム（ＯＳ）から取得することが考えられるが、取得方法はこれに限定されない。状態取得部１４ａは取得したウィンドウ数をサイズ決定部１４ｂに出力する。
【００２９】
サイズ決定部１４ｂは、ユーザが指定したアイコンに対応するアプリケーション・プログラムのウィンドウのサイズを決定する手段である。本明細書では、これから表示しようとするウィンドウを「新規ウィンドウ」という。入力されたウィンドウ数が０であった場合には、サイズ決定部１４ｂは新規ウィンドウをウィンドウ表示領域１１ａ全体に表示すると決定し、そのためのサイズ（全画面表示のサイズ）を新規ウィンドウのサイズとする。
【００３０】
一方、入力されたウィンドウ数が１以上であった場合、すなわちウィンドウを分割表示する場合には、サイズ決定部１４ｂは終点データと、ウィンドウ表示領域１１ａの位置や範囲を示す表示領域データとに基づいて、新規ウィンドウのサイズを決定する。例えば図４に示すように、アイコンＣ１が指定されてその後ウィンドウ表示領域１１ａへのドラッグ操作Ｄが行われた場合には、サイズ決定部１４ｂは、アイコン表示領域１１ｂ側に位置するウィンドウ表示領域１１ａの境界Ｂから操作Ｄの終点Ｐｅまでの距離ｈを算出する。なお、アイコン指定後のドラッグ操作は垂直方向に行われるとは限らず、斜めになぞるように行われる場合もあれば（図５参照)、曲線を描くように行われる場合もある。いずれにせよ、サイズ決定部１４ｂが求めるのは、境界Ｂから操作Ｄの終点Ｐｅまでの距離である。
【００３１】
続いて、サイズ決定部１４ｂは距離ｈと、予め選択されている分割表示方法とに基づいて、新規ウィンドウのサイズを決定する。
【００３２】
ここで、分割表示方法とは、ウィンドウ表示領域１１ａにおける複数ウィンドウの表示態様であり、携帯電話機１０の初期設定やユーザ設定などにより予め定められている。この分割表示方法を、図５〜７に示す例を用いて説明する。なお、図５〜７ではいずれもアイコンＣ１が選択されているが、当然ながら、選択されるアイコンは限定されない。また、予め用意される分割表示方法は少なくとも一つあればよく、その種類は限定されない。
【００３３】
図５は、アイコンを指定したユーザがその後ドラッグ操作Ｄをしたときの境界Ｂから終点Ｐｅからまでの距離ｈを、そのまま新規ウィンドウＷｎｅｗの高さとする場合の例である。新規ウィンドウＷｎｅｗの幅はウィンドウ表示領域１１ａの幅に従っている。このとき、既表示ウィンドウＷａはウィンドウ表示領域１１ａの残りの部分に表示される。
【００３４】
図６は、ウィンドウ表示領域１１ａにおいて各ウィンドウが同じ大きさで表示される均等表示を含む例である。図６（ａ）に示すように、ドラッグ操作Ｄしたときの境界Ｂから終点Ｐｅからまでの距離ｈが、均等表示した場合の各ウィンドウの高さ以下の場合には、既表示ウィンドウＷａ，Ｗｂ及び新規ウィンドウＷｎｅｗの高さが揃えられる。これに対して、図６（ｂ）に示すように、当該距離ｈが、均等表示した場合の各ウィンドウの高さよりも大きい場合には、その距離ｈがそのまま新規ウィンドウＷｎｅｗの高さとされ、既表示ウィンドウＷａ，Ｗｂは残りの領域に表示される。
【００３５】
なお、図６（ａ）の例において、既表示ウィンドウＷａ，Ｗｂの高さは揃えなくてもよい。例えば、新規ウィンドウＷｎｅｗを表示する前後でウィンドウＷａ，Ｗｂの高さの比がそのまま維持されるように、ウィンドウＷａ，Ｗｂを再表示してもよい。
【００３６】
図７は、ウィンドウの画面比（縦横比）が予め指定されているアプリケーション・プログラムを表示する例である。このようなプログラムの例としては、画面比が１６：９であるいわゆるワンセグ放送用ソフトウェアが挙げられるが、これに限定されない。既表示ウィンドウの画面比が図７（ａ）のようにａ：ｂと指定されている場合には、新規ウィンドウＷｎｅｗがドラッグ操作Ｄに応じて表示されると、既表示ウィンドウは、同図の符号Ｗａ´で示される範囲ではなく、同図の符号Ｗａで示される範囲に表示される。一方、新規ウィンドウの画面比が図７（ｂ）のようにｃ：ｄと指定されている場合には、新規ウィンドウは、ドラッグ操作Ｄに応じた範囲（符号Ｗｎｅｗ´参照）ではなく、同図の符号Ｗｎｅｗで示される範囲に表示される。このとき、図７（ｂ）の既表示ウィンドウＷａは同図のように残りの部分の一部に表示されてもよいし、残りの部分の全体に表示されてもよい。
【００３７】
サイズ決定部１４ｂは、図５〜７のいずれかの手法と距離ｈとに基づいて新規ウィンドウのサイズを決定し、当該サイズのデータを表示制御部１４ｃに出力する。なお、図４〜７では新規ウィンドウの高さを決める例を示したが、ウィンドウ表示領域１１ａ及びアイコン表示領域１１ｂがタッチパネル１１の横方向に並べられている場合には、サイズ決定部１４ｂは上記と同様の手法で新規ウィンドウの幅を決める。
【００３８】
表示制御部１４ｃは、サイズ決定部１４ｂにより決められたサイズで新規ウィンドウをウィンドウ表示領域１１ａに表示する手段である。表示制御部１４ｃは、入力されたサイズデータに基づいて、ユーザが選択したアイコンに対応するアプリケーション・プログラムのウィンドウをウィンドウ表示領域１１ａの下部に表示する。図５〜７は、表示制御部１４ｃによる処理後のタッチパネル１１の状態を示した例ともいえる。なお、新規ウィンドウの表示位置は任意であり、例えば図６の例において、表示制御部１４ｃは新規ウィンドウＷｎｅｗを既表示ウィンドウＷａ，Ｗｂの間に表示してもよい。
【００３９】
次に、図８を用いて携帯電話機１０の動作を説明するとともに本実施形態に係る画面表示方法について説明する。
【００４０】
ユーザが指やタッチペンでタッチパネル１１に触れると、検出部１２がその接触位置を検出する（ステップＳ１１、検出ステップ）。続いて、操作判定部１３が所定のドラッグ操作、すなわち、アイコン表示領域１１ｂ内のアイコンを指定してその後ウィンドウ表示領域１１ａに向かってタッチパネル１１をなぞる操作を行ったか以下を判定する（ステップＳ１２）。具体的には、操作判定部１３は入力された始点データ及び終点データと、予め保持している表示領域データ及びアイコン位置データとを比較することで、アイコン指定後にウィンドウ表示領域へのドラッグ操作が行われたかを判定する（ステップＳ１３）。このとき、そのような操作が行われなかった場合には（ステップＳ１３；ＮＯ）、その時点で処理が終了する。
【００４１】
一方、アイコン指定後にウィンドウ表示領域へのドラッグ操作が行われた場合には（ステップＳ１３；ＹＥＳ）、ウィンドウ表示部１４が新規ウィンドウをタッチパネル１１のウィンドウ表示領域１１ａに表示する。
【００４２】
具体的には、状態取得部１４ａにより取得された既表示ウィンドウの個数に基づいて、サイズ決定部１４ｂが新規ウィンドウのサイズを決定する。サイズ決定部１４ｂは、ウィンドウが何も表示されていない（ウィンドウ数が０）の場合には（ステップＳ１４；ＮＯ）、新規ウィンドウを全画面表示すると決定し、そのためのサイズを新規ウィンドウのサイズとする（ステップＳ１５）。これに対して、何らかのウィンドウが表示されている（ウィンドウ数が１以上）場合には（ステップＳ１４；ＹＥＳ）、サイズ決定部１４ｂは、アイコン表示領域１１ｂ側のウィンドウ表示領域１１ａの境界から接触の終点までの距離を求め、その距離と指定されている分割表示方法とに基づいて新規ウィンドウのサイズを決定する（ステップＳ１６）。最後に、表示制御部１４ｃが設定されたサイズで新規ウィンドウをウィンドウ表示領域１１ａに表示する（ステップＳ１７）。
【００４３】
以上説明したように、本実施形態によれば、アイコン表示領域１１ｂに表示されているアイコンにユーザが指やポインティング・デバイスなどで触れて、そのままウィンドウ表示領域１１ａにドラッグする操作を行うと、その際の各表示領域に対する接触が検出され、その検出結果に基づいて当該アイコンに対応するアプリケーション・プログラムのウィンドウ（新規ウィンドウ）が表示される。この際には、タッチパネル１１に対する接触の距離、すなわちドラッグ操作の距離に基づいてウィンドウのサイズが決定されるので、切替後のウィンドウ（新規ウィンドウ）を適切な大きさで表示することができる。
【００４４】
図５に示すような分割表示方法を採用した場合には、ドラッグ操作の終点に新規ウィンドウの縁が位置するように当該ウィンドウが表示されるので、ユーザは新たなウィンドウを表示するための操作時にそのウィンドウの大きさも合わせて決めることができる。これは、表示装置の操作性が高まることを意味する。
【００４５】
図６に示すような分割表示方法を採用した場合には、上記境界からドラッグ操作の終点までの距離が均等表示時のウィンドウの高さ又は幅以下であれば、ある程度の高さ又は幅を確保するように新規ウィンドウが表示されるので、新規ウィンドウ内の情報を最初からある程度多く表示することができる。一方、当該境界からドラッグ操作の終点までの距離が一定以上であれば、ドラッグ操作の終点に新規ウィンドウの縁が位置するように当該ウィンドウが表示される。したがって、ユーザは新たなウィンドウを表示するための操作時にそのウィンドウの大きさも合わせて決めることができる。
【００４６】
以上、本発明をその実施形態に基づいて詳細に説明した。しかし、本発明は上記実施形態に限定されるものではない。本発明は、その要旨を逸脱しない範囲で様々な変形が可能である。
【００４７】
上記実施形態では携帯電話機に本発明を適用したが、携帯情報端末（ＰＤＡ）や、携帯型又は据置型のパーソナルコンピュータ、あるいはその他の情報処理端末などに本発明を適用してもよい。なお、通信機能の有無は問わない。
【符号の説明】
【００４８】
１０…携帯電話機、１１…タッチパネル、１１ａ…ウィンドウ表示領域、１１ｂ…アイコン表示領域、１２…検出部（検出手段）、１３…操作判定部、１４…ウィンドウ表示部、１４ａ…状態取得部、１４ｂ…サイズ決定部（決定手段）、１４ｃ…表示制御部（表示制御手段）。
【図１】
2011186741.tif 000003
【図２】
2011186741.tif 000004
【図３】
2011186741.tif 000005
【図４】
2011186741.tif 000006
【図５】
2011186741.tif 000007
【図６】
2011186741.tif 000008
【図７】
2011186741.tif 000009
【図８】
2011186741.tif 000010